【手続補正書】
【提出日】平成23年6月15日(2011.6.15)
【手続補正１】
【補正対象書類名】特許請求の範囲
【補正対象項目名】全文
【補正方法】変更
【補正の内容】
【特許請求の範囲】
【請求項１】
印刷データの画像を媒体に印刷する印刷手段を備えた印刷装置であって、
前記媒体の単価が記憶される記憶部と、
前記印刷データを受信すると、前記記憶部に記憶された前記媒体の単価から得られる媒体コストが所定の値よりも高いか否かを解析し、当該媒体コストが当該所定の値よりも高い場合に、印刷結果のプレビューデータを作成する解析部とを備えることを特徴とする印刷装置。
【請求項２】
前記解析部は、
前記印刷データを解析し、前記媒体の種類を取得するデータ解析部と、
前記媒体コストが所定の値よりも高いか否かを比較する比較部とを備えることを特徴とする請求項１に記載の印刷装置。
【請求項３】
前記解析部は、
さらに、前記媒体の単価と印刷に要する印刷枚数とから前記媒体コストを算出する算出部を備えることを特徴とする請求項２に記載の印刷装置。
【請求項４】
さらに、前記解析部で作成されたプレビューデータを表示する表示手段を備えることを特徴とする請求項１乃至請求項３のいずれか一項に記載の印刷装置。
【請求項５】
さらに、前記解析部で作成されたプレビューデータを上位装置に送信する送信部を備えることを特徴とする請求項１乃至請求項４のいずれか一項に記載の印刷装置。
【請求項６】
印刷データの画像を媒体に印刷する印刷手段を備えた印刷装置であって、
使用できる前記媒体が登録される媒体登録手段と、
前記印刷データを解析して、要求される媒体が登録されているか否かを照合し、当該要求される媒体が登録されていると判断された場合に、プレビューデータを作成する解析部とを備えることを特徴とする印刷装置。
【請求項７】
前記解析部は、
前記印刷データを解析し、前記媒体の種類を取得するデータ解析部と、
前記要求される媒体が登録されているか否かを照合する照合手段とを備えることを特徴とする請求項６に記載の印刷装置。
【請求項８】
印刷データの画像を媒体に印刷する印刷手段を備えた印刷装置であって、
前記印刷データを解析し、解析の結果、プレビュー表示コマンドが検出された場合に、プレビューデータを作成する解析部と、
前記プレビューデータを表示する表示手段とを備えることを特徴とする印刷装置。
【請求項９】
印刷データの画像を媒体に印刷する印刷装置を通信回線を介して制御し、前記媒体のコストが記憶されている記憶部を備えるコンピュータが実行する印刷制御プログラムであって、
前記印刷データで指定された指定媒体の媒体コストを、前記記憶部から読み出し、読み出した前記媒体コストと所定の値とを比較する比較機能と、
前記比較機能による比較の結果、前記媒体コストの方が前記所定の値より大きい場合には、表示装置に前記印刷データの画像をプレビュー表示するプレビュー表示機能と、
前記印刷データを前記印刷装置に送信する送信機能とを
前記コンピュータに実現させることを特徴とする印刷制御プログラム。
【請求項１０】
印刷データの画像を媒体に印刷し、前記媒体のコストが記憶されている記憶部を備える印刷装置のコンピュータが実行する印刷制御プログラムであって、
前記印刷データに指定された指定媒体の媒体コストを、前記記憶部から読み出し、読み出した前記媒体コストと所定の値とを比較する比較機能と、
前記比較機能による比較の結果、前記媒体コストの方が前記所定の値より大きい場合には、外部のパーソナルコンピュータにプレビュー表示させるために前記印刷データを送信する印刷データ送信機能とを
前記コンピュータに実現させることを特徴とする印刷制御プログラム。
【請求項１１】
前記媒体のコストは、前記媒体の１枚当たりの単価であることを特徴とする請求項９又は請求項１０に記載の印刷制御プログラム。
【請求項１２】
前記媒体のコストは、前記媒体の１枚当たりの単価と前記印刷データにより指定されたページ数と部数との積であることを特徴とする請求項９又は請求項１０に記載の印刷制御プログラム。
【手続補正２】
【補正対象書類名】明細書
【補正対象項目名】０００５
【補正方法】変更
【補正の内容】
【０００５】
前記目的を達成するため、本発明の一の手段である印刷装置は、印刷データの画像を媒体に印刷する印刷手段を備えた印刷装置であって、前記媒体の単価が記憶される記憶部と、前記印刷データを受信すると、前記記憶部に記憶された前記媒体の単価から得られる媒体コストが所定の値よりも高いか否かを解析し、当該媒体コストが当該所定の値よりも高い場合に、印刷結果のプレビューデータを作成する解析部とを備えることを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】変更
【補正の内容】
【０００８】
また、前記目的を達成するため、本発明の他の手段である印刷装置は、印刷データの画像を媒体に印刷する印刷手段を備えた印刷装置であって、使用できる前記媒体が登録される媒体登録手段と、前記印刷データを解析して、要求される媒体が登録されているか否かを照合し、当該要求される媒体が登録されていると判断された場合に、プレビューデータを作成する解析部とを備えることを特徴とする。
【手続補正５】
【補正対象書類名】明細書
【補正対象項目名】０００９
【補正方法】変更
【補正の内容】
【０００９】
さらに、前記目的を達成するため、本発明のさらに他の手段である印刷装置は、印刷データの画像を媒体に印刷する印刷手段を備えた印刷装置であって、前記印刷データを解析し、解析の結果、プレビュー表示コマンドが検出された場合に、プレビューデータを作成する解析部と、前記プレビューデータを表示する表示手段とを備えることを特徴とする。
【手続補正６】
【補正対象書類名】明細書
【補正対象項目名】００１３
【補正方法】変更
【補正の内容】
【００１３】
本発明によれば、媒体コストが所定の値よりも高い場合に、印刷結果のプレビューデータを作成することにより、印刷内容の確認を行わせることができる印刷装置を提供することができる。
また、プレビュー表示データを表示することにより、媒体コストが所定の値よりも高いことを警告すると共に、印刷内容の確認を行わせることができる印刷装置の印刷制御プログラムを提供することができる。
これにより、印刷に際して、媒体コストが高価な場合、印刷枚数が多量の場合、予め指定された媒体を用いる場合、及び、予め指定した場合の何れかの場合に、印刷結果のプレビュー表示を行うので、高価な媒体であることを警告するとともに、印刷内容の確認を行わせて、高価な媒体コストに対する印刷の失敗を未然に防止する印刷装置を提供することができる。
【手続補正７】
【補正対象書類名】明細書
【補正対象項目名】００１７
【補正方法】変更
【補正の内容】
【００１７】
給紙部１３は、印刷される媒体を給紙する機構部である。受信部１４は、外部から入力される印刷データを受信する。操作パネル部１５は、オペレーションパネルであり、使用者が操作して指示や情報を入力するためのタッチパネルやキーボードに相当する入力部１５１と液晶ディスプレイ等の表示装置に相当する表示部１５２とを備えて構成される。
解析部１６は、受信部１４で受信された印刷データを解析するデータ解析部１６１と、記憶部１２に記憶されている媒体の単価と閾値とを比較する比較部１６２とを備えて構成されている。データ解析部１６１で解析された印刷データは、印刷部１７で印刷される。そして、メモリ１８には、印刷するためのデータが一時的に保存される。
【手続補正８】
【補正対象書類名】明細書
【補正対象項目名】００２１
【補正方法】変更
【補正の内容】
【００２１】
本実施形態では、ユーザが所望する印刷結果か否かを確認する手段としてプレビュー機能を使う。図５は、表示部１５２に印刷結果のプレビューを表示したときの例を示す。表示部１５２は、印刷結果のプレビューを表示するプレビューエリア５０１、メッセージを表示するメッセージエリア５０２、及び、ユーザが指示を出すボタンを表示するボタンエリア５０３から構成される。この表示部１５２を含む操作パネル１５、解析部１６及び制御部１１で、特許請求の範囲に記載されたプレビューデータを表示する表示手段（以下、「プレビュー表示手段」と称する）を構成する。
【手続補正９】
【補正対象書類名】明細書
【補正対象項目名】００３３
【補正方法】変更
【補正の内容】
【００３３】
図８は、第２の実施形態におけるプリンタ１０−２及びＰＣ２０の動作を表すフローチャートである。この第２の実施形態では、第１の実施形態の場合に対して、媒体の単価２１０と閾値２２０とを比較し、媒体の単価２１０が閾値２２よりも高い場合に、プリンタ１０−２の解析部１６で印刷結果のプレビューデータを作成し、そのプレビューデータをＰＣ２０に送信するステップＳ２０７、印刷結果のプレビューデータをＰＣ２０の送受信部２５で受信するステップＳ２０８、ＰＣ２０の送受信部２５で受信したプレビューデータに基づくプレビューをＰＣ２０の表示部２４で表示するステップＳ２０９が追加される。その他の処理フローは図６に示したものとほぼ同様である。なお、本実施形態においてプリンタ１０−２の制御部１１で実行されるプログラムは、請求項１０に記載された印刷制御プログラムに相当する。
【手続補正１０】
【補正対象書類名】明細書
【補正対象項目名】００４６
【補正方法】変更
【補正の内容】
【００４６】
そして、図１１は、第４の実施形態における媒体コスト５０４の求め方を説明する説明図である。媒体種別として光沢紙を使用すると、図２（ａ）の媒体登録部１２１における媒体種別２００と単価２１０の記憶例から、光沢紙２０４が指定され、光沢紙の単価５０１は５０円となる。また、ページ数５０２は、前記ページデータから３ページとして、部数５０３を１部とすると、媒体コスト５０４はページ数５０２の３と光沢紙の単価５０１の５０と部数５０３の１とを乗算することで求められる。本実施形態では、媒体コスト５０４は１５０円となる。